(57)【要約】【課題】特性の異なる複数の光源をその光源までの伝送路インピーダンスが異なる場合でも一つの高周波重畳手段でＥＭＩに準拠するようにノイズ低減を最適に行う。【解決手段】レーザ制御部７は、制御用マイクロコンピュータ１０から送出されるＳＥＬ信号によってスイッチＳＷＡをＬＤ１側に切り替えると、誤差増幅器４１の出力する電圧値をＶ／Ｉ変換器４２によって電流値に変換し、その電流値を電流増幅器４３で増幅し、加算器４４によって電流増幅器４３からの電流値とオシレータ４５からの電流値とを加算してＬＤ１に駆動電流として供給する。オシレータ４５では光ディスクの種類に応じて電流値の周波数及び振幅を最適値に調整して出力する。【選択図】      図１
2004288842.tif 000002
【特許請求の範囲】
【請求項１】
それぞれ波長の異なる光を発生させる複数個の光源に電流を供給する電流供給手段と、該電流供給手段によって供給する電流に高周波電流を重畳する高周波電流重畳手段と、該高周波電流重畳手段によって重畳する高周波電流の周波数を前記各光源毎に可変にする重畳高周波電流周波数可変手段とを備えたことを特徴とする光源駆動装置。
【請求項２】
それぞれ波長の異なる光を発生させる複数個の光源に電流を供給する電流供給手段と、該電流供給手段によって供給する電流に高周波電流を重畳する高周波電流重畳手段と、該高周波電流重畳手段によって重畳する高周波電流の振幅を前記各光源毎に可変にする重畳高周波電流振幅可変手段とを備えたことを特徴とする光源駆動装置。
【請求項３】
それぞれ波長の異なる光を発生させる光源を少なくとも２つ以上有し、情報を記録又は再生する記録媒体の種類に対応する光源からの光を前記記録媒体上に照射して情報の記録及び読み取りを行う情報記録再生装置であって、
前記各光源に電流を供給する電流供給手段と、該電流供給手段によって供給する電流に高周波電流を重畳する高周波電流重畳手段と、該高周波電流重畳手段によって重畳する高周波電流の周波数を前記各光源毎に可変にする重畳高周波電流周波数可変手段とを備えたことを特徴とする情報記録再生装置。
【請求項４】
それぞれ波長の異なる光を発生させる光源を少なくとも２つ以上有し、情報を記録又は再生する記録媒体の種類に対応する光源からの光を前記記録媒体上に照射して情報の記録及び読み取りを行う情報記録再生装置であって、
前記各光源に電流を供給する電流供給手段と、該電流供給手段によって供給する電流に高周波電流を重畳する高周波電流重畳手段と、該高周波電流重畳手段によって重畳する高周波電流の振幅を前記各光源毎に可変にする重畳高周波電流振幅可変手段とを備えたことを特徴とする情報記録再生装置。
【発明の詳細な説明】
【０００１】
【発明の属する技術分野】
この発明は、光ディスク装置等の情報記録再生装置における記録媒体に対する情報の記録及び再生のための光を照射する光源の発光駆動を行うレーザ駆動制御回路等の光源駆動装置とＣＤ，ＤＶＤ等の記録媒体に対する情報の記録及び再生のためのそれぞれ波長の異なるレーザ光を発生させる複数個のレーザ光源もしくは複数種類の波長の光を発光可能な半導体レーザアレイを搭載したＣＤ／ＤＶＤ兼用の光ディスク装置等の情報記録再生装置に関する。
【０００２】
【従来の技術】
近年になり、記録媒体はコンパクトディスク（Ｃｏｍｐａｃｔ  Ｄｉｓｃ：ＣＤ）よりも情報記録容量の大きいＤＶＤが急速度で普及をとげている。
例えば、ＤＶＤはＣＤと同一サイズのディスク径で大容量化するために、ＣＤに比べて記録密度を大きくしている。記録密度を大きくするには情報の記録及び再生のためのレーザ光のレーザスポットを小さくする必要があるが、ＤＶＤではＣＤに比べてレーザ光を絞る為の対物レンズの開口数ＮＡを大きくし、レーザ光波長をＣＤの約７８０ｎｍよりも短い約６５０ｎｍにしてレーザスポットを小さくするようにしている。
【０００３】
また、ＣＤとＤＶＤはそのディスクサイズが同じ為、例えばＤＶＤ装置ではＣＤとＤＶＤ両方のディスクの再生及び記録が行える装置にしているのが一般的である。
従来の情報記録再生装置では、一つの装置で二つの半導体レーザ光源を搭載することにより、標準密度の光ディスクと高密度の光ディスクをそれぞれ最適なスポット径で記録及び再生している（例えば、特許文献１参照）。
また、２つの半導体レーザ光源を用いても調整機構が簡単であり、しかも調整後の光源の位置ずれがない高信頼性の光ヘッドにしている（例えば、特許文献２参照）。
【０００４】
ここで、半導体レーザ光源を光ディスクドライブ装置（情報記録再生装置）の光源として用いたとき、光ディスク（記録媒体）からの反射光が半導体レーザ光源に戻り、その戻り光の影響によって半導体レーザ光源の発光のノイズ成分が大きくなってしまうことが一般的に知られている。
そのような半導体レーザ光源のノイズ低減方法としては、高周波電流駆動回路からの高周波の交流電流を直流電流と重畳して半導体レーザ光源に流す高周波電流重畳方法が一般的に用いられる。
【０００５】
例えば、情報記録再生装置において、フォーカスサーボ系によるフォーカス制御引き込み時には高周波重畳回路による高周波電流の重畳量を多くすることにより、戻り光の光量の変動に対しても安定な光源を得るようにしている（例えば、特許文献３参照）。
また、上述のようなレーザノイズ低減に必要不可欠な高周波重畳手段を半導体レーザ光源のケース内で信号検出手段と同一ウェハ上に形成することによって光ヘッドの小型化を図っている（例えば、特許文献４参照）。
さらに、２つの半導体レーザ光源を一つのレーザ光源駆動回路で駆動することによって簡単な構成で波長の異なるレーザ光の強度を制御するようにしている（例えば、特許文献５参照）。
【０００６】
【特許文献１】
特開平０９−０７３６５８号公報
【特許文献２】
特開２０００−０７６６９８号公報
【特許文献３】
特開平０５−１９７９９４号公報
【特許文献４】
特開平０６−２２３３９９号公報
【特許文献５】
特開２００１−７６３６４号公報
【０００７】
【発明が解決しようとする課題】
しかしながら、上述の従来の技術では、２つの半導体レーザ光源に各々レーザ光源駆動回路を独立にもたせている為、高周波重畳回路が２つ必要になる。
一般的にレーザ光源駆動回路は高速にライト電流をスイッチングする機能を有する為、記録速度の高速化に伴って半導体レーザ光源の直近に配されるのが一般的であり、２つの半導体レーザ光源に各々レーザ光源駆動回路を持たせるには光ピックアップの大きさの制約上非常に厳しいのが現状である。
【０００８】
また、一つのレーザ光源駆動回路で２つの半導体レーザ光源を駆動すると、一つのレーザ光源駆動回路では、レーザ光源の電流感度やレーザ光源が発光を開始する閾値電流が異なることや、レーザ光源までの伝送路インピーダンスが異なる為、重畳する高周波電流の周波数および振幅が同一では２つの半導体レーザ光源のノイズ低減を最適とすることが難しいという問題があった。
さらに、高周波重畳はその周波数が高いことから兎角ＥＭＩ（電波規格）に準拠させる上で問題が生じやすい。その為、情報記録再生装置の開発の際にＥＭＩに準拠させるための対応作業に膨大な時間を裂くことになる。
【０００９】
なお、高周波電流を小さくするほどＥＭＩに準拠させるのに優位となるが、上述の通り、その読み出し性能上一定値以上の電流重畳が必要であり、その必要な振幅は半導体レーザ光源との距離や半導体レーザ光源の接合容量などによって左右される。また、読み出し性能もその使用する半導体レーザ光源のレーザ光波長によって異なる。
この発明は上記の課題を解決するためになされたものであり、特性の異なる複数の光源をその光源までの伝送路インピーダンスが異なる場合でも一つの高周波重畳手段でＥＭＩに準拠するようにノイズ低減を最適に行うことを目的とする。
【００１０】
【課題を解決するための手段】
この発明は上記の目的を達成するため、次の（１）と（２）の光源駆動装置を提供する。
（１）それぞれ波長の異なる光を発生させる複数個の光源に電流を供給する電流供給手段と、その電流供給手段によって供給する電流に高周波電流を重畳する高周波電流重畳手段と、その高周波電流重畳手段によって重畳する高周波電流の周波数を上記各光源毎に可変にする重畳高周波電流周波数可変手段を備えた光源駆動装置。
（２）それぞれ波長の異なる光を発生させる複数個の光源に電流を供給する電流供給手段と、その電流供給手段によって供給する電流に高周波電流を重畳する高周波電流重畳手段と、その高周波電流重畳手段によって重畳する高周波電流の振幅を上記各光源毎に可変にする重畳高周波電流振幅可変手段を備えた光源駆動装置。
【００１１】
また、次の（３）と（４）の情報記録再生装置も提供する。
（３）それぞれ波長の異なる光を発生させる光源を少なくとも２つ以上有し、情報を記録又は再生する記録媒体の種類に対応する光源からの光を上記記録媒体上に照射して情報の記録及び読み取りを行う情報記録再生装置であって、上記各光源に電流を供給する電流供給手段と、その電流供給手段によって供給する電流に高周波電流を重畳する高周波電流重畳手段と、その高周波電流重畳手段によって重畳する高周波電流の周波数を上記各光源毎に可変にする重畳高周波電流周波数可変手段を備えた情報記録再生装置。
【００１２】
（４）それぞれ波長の異なる光を発生させる光源を少なくとも２つ以上有し、情報を記録又は再生する記録媒体の種類に対応する光源からの光を上記記録媒体上に照射して情報の記録及び読み取りを行う情報記録再生装置であって、上記各光源に電流を供給する電流供給手段と、その電流供給手段によって供給する電流に高周波電流を重畳する高周波電流重畳手段と、その高周波電流重畳手段によって重畳する高周波電流の振幅を上記各光源毎に可変にする重畳高周波電流振幅可変手段を備えた情報記録再生装置。
【００１３】
【発明の実施の形態】
以下、この発明の実施形態を図面に基づいて具体的に説明する。
図２は、この発明の一実施形態である光ディスク装置の構成を示すブロック図である。
この光ディスク装置１は、例えばＣＤ（Ｃｏｍｐａｃｔ  Ｄｉｓｃ）／ＤＶＤ（Ｄｉｇｉｔａｌ  Ｖｅｒｓａｔｉｌｅ  Ｄｉｓｋ）ドライブ装置等の情報記録再生装置であり、複数種類の記録媒体である光ディスク（例えばＣＤ又はＤＶＤ）２１を装着し、その装着された光ディスク２１に対する情報（データの）記録と再生（読み取り）を行う。
光ディスク２１は、スピンドルモータ２により所定の回転速度で回転されるスピンドルに装着される。
【００１４】
光ピックアップ３は、内蔵する半導体レーザ光源であるレーザダイオード（光源）３１又は３２から、光ディスク２１の信号面（記録面）にレーザ光（光）を照射し、光ディスク２１に記録されているデータを再生する。
レーザダイオード３１は、光ディスク装置１に装着された光ディスク２１が、例えばＣＤの場合、その装着されたＣＤからデータを再生するための７８０ｎｍの波長のレーザ光（光）を照射する光源である。
レーザダイオード３２は、光ディスク装置１に装着された光ディスク２１が、例えばＤＶＤの場合、その装着されたＤＶＤからデータを再生するための６５０ｎｍの波長のレーザ光（光）を照射する光源である。
すなわち、このレーザダイオード３１と３２がそれぞれ波長の異なる光を発生させる複数個の光源に相当する。
【００１５】
光ディスク装置１は、例えばＣＤ−ＲＯＭ（Ｃｏｍｐａｃｔ  Ｄｉｓｃ  Ｒｅａｄ  Ｏｎｌｙ  Ｍｅｍｏｒｙ）に記録されているデータを再生するとき、レーザダイオード３１が照射する７８０ｎｍの波長のレーザ光又はレーザダイオード３２が照射する６５０ｎｍの波長のレーザ光のいずれでもＣＤ−ＲＯＭに記録されたデータを再生することができる。
また、例えばＣＤ−Ｒ（Ｃｏｍｐａｃｔ  Ｄｉｓｃ  Ｒｅｃｏｒｄａｂｌｅ）に記録されているデータを再生するとき、レーザダイオード３２が照射する６５０ｎｍの波長のレーザ光ではＣＤ−Ｒに記録されたデータを再生することができないので（ＣＤ−Ｒの有機色素系の記録膜の６５０ｎｍの波長の光に対する反射率は非常に小さい為）、レーザダイオード３１を動作させる。
【００１６】
光ディスク２１の信号面より反射された光は信号（ピット）の有無によって変調されており、光ピックアップ３の検出器３３で受光される。
光ピックアップ３は、スレッドモータ４によって光ディスク２１の半径方向に駆動される。
検出器３３は、光ディスク２１からの反射された光を電気信号に変換し、ＲＦ（Ｒａｄｉｏ  Ｆｒｅｑｕｅｎｃｙ）処理部５に出力する。
アクチュエータドライバ６は、スピンドルモータ２，光ピックアップ３及びスレッドモータ４を駆動する。
【００１７】
レーザ制御部７は半導体レーザ光源駆動装置であり、光ピックアップ３から光ディスク２１に照射される光の発光駆動を制御する。一般的にはレーザ制御部の全部もしくは駆動部とモニタ部は光ピックアップ３内に配されることが多いが、ここでは別体で示している。このレーザ制御部７は、光ディスク２１の挿入時に制御用マイクロコンピュータ１０からの指示信号によって各種のスイッチが切り替えられ、光ディスク２１の種類に応じたＬＤへの供給電流に重畳する高周波電流の周波数及び振幅を調整する。
【００１８】
ＲＦ処理部５は、検出器３３で検出された信号の加減算処理を行い、トラッキングエラー信号（以下「ＴＥ信号」と略称する）、及びフォーカスエラー信号（以下「ＦＥ信号」と略称する）などの信号を生成し、サーボプロセッサ８に出力する。このＲＦ処理部５はまた、検出器３３で検出された信号から再生信号（以下「ＲＦ信号」と略称する）を生成し、ＥＦＭ（Ｅｉｇｈｔ  ｔｏ  ＦｏｕｒｔｅｅｎＭｏｄｕｌａｔｉｏｎ）／８／１６デコード部９に出力する。
【００１９】
サーボプロセッサ８は、ＲＦ処理部５から入力したＴＥ信号及びＦＥ信号に基づいてアクチュエータドライバ６をトラッキング制御及びフォーカス制御する。
ＥＦＭ／８／１６デコード部９は、制御用マイクロコンピュータ１０に制御され、ＲＦ処理部５で生成されたＲＦ信号をＥＦＭ復調してＣＤ−ＲＯＭ（Ｃｏｍｐａｃｔ  Ｄｉｓｃ−Ｒｅａｄ  Ｏｎｌｙ  Ｍｅｍｏｒｙ）用のフォーマットに変換し、または８／１６復調してＤＶＤ用フォーマットに変換し、それぞれ所定の誤り訂正処理を行った後、デコード部１１に出力する。さらに、ＥＦＭ／８／１６デコード部９は、誤り訂正に関する情報及び光ディスク装置１に装着されている光ディスク２１の種類に対応する識別信号等を制御用マイクロコンピュータ１０に出力する。
【００２０】
制御用マイクロコンピュータ１０は、ＣＰＵ，ＲＯＭ及びＲＡＭ等からなるマイクロコンピュータによって実現され、その内蔵されているメモリ（公知なので図示を省略）に予め記憶されているプログラムに基づいて所定の処理を実行する。この制御用マイクロコンピュータ１０は、メモリ１２に記憶されているパラメータを読み出し、そのパラメータに基づいて所定の信号を生成し、ＲＦ処理部５，レーザ制御部７，サーボプロセッサ８，ＥＦＭ／８／１６デコード部９又はインタフェース１４に出力する。また、光ディスク２１の挿入時、レーザ制御部７へ指示信号を出力してレーザ制御部７内部の各種のスイッチを切り替えさせる。
【００２１】
デコード部１１は、ＥＦＭ／８／１６デコード部９によって復調されたＣＤ−ＲＯＭ用フォーマットの信号又はＤＶＤ用フォーマットの信号をメモリ１３に格納し、さらに復調して再生データとする。
インタフェース１４は、ホストコンピュータ２０からの指令に基づいて制御用マイクロコンピュータ１０及びデコード部１１を制御する。
ホストコンピュータ３は、ＣＰＵ，ＲＯＭ及びＲＡＭ等からなるマイクロコンピュータによって実現される情報処理装置であり、ユーザからの指令に対応して、光ディスク装置１のインタフェース１４を制御し、光ディスク装置１に光ディスク２１に対するデータの記録及び再生を行わせる。
すなわち、上記レーザ制御部７と制御用マイクロコンピュータ１０がこの発明に係る光源駆動装置の機能を果たす。
【００２２】
図１は、図２に示したレーザ制御部７の内部構成を示すブロック図である。
このレーザ制御部７は、レーザダイオード（ＬＤ１）３１はＣＤの再生用の７８０ｎｍの半導体レーザ光を発生する半導体レーザ光源であり、検出器３３のＰＤ（フォトディテクタ：Ｐｈｏｔｏ  Ｄｅｔｅｃｔｏｒ）１はＬＤ１の発光量をモニタするための受光素子である。また、レーザダイオード（ＬＤ２）３２はＤＶＤ再生用の６５０ｎｍの半導体レーザ光を発生する半導体レーザ光源であり、検出器３３のＰＤ２はＬＤ２の発光量をモニタするための受光素子である。
【００２３】
このレーザ制御部７は、図２に示した制御用マイクロコンピュータ１０から送出されるＳＥＬ信号によってスイッチＳＷＡをＬＤ１側（Ｐ１側）に切り替えると、誤差増幅器４１の出力する電圧値をＶ／Ｉ変換器（電圧電流変換器）４２によって電流値に変換し、その電流値を電流増幅器４３で増幅し、加算器４４によって電流増幅器４３からの電流値とオシレータ（Ｏｓｃｉｌｌａｔｏｒ）４５からの電流値とを加算してＬＤ１に駆動電流として供給する。こうして、ＬＤ１からＣＤ再生用のレーザ光が出射され、その出射されたレーザ光は図示を省略した対物レンズで光スポットに絞られて光ディスクに照射される。
【００２４】
その出射されたレーザ光の一部は検出器３３のＰＤ１に入射し、ＰＤ１は入力される光に比例した電流値を出力する。その出力された電流値は制御用マイクロコンピュータ１０のＳＥＬ信号によってＰＤ１側（Ｐ３側）に切り替えられたスイッチＳＷＢを通ってＩ／Ｖ変換器４０に導かれる。
Ｉ／Ｖ変換器（電流電圧変換器）４０は、入力される電流値を電圧値に変換して誤差増幅器４１へ供給する。誤差増幅器４１はその電圧値と制御用マイクロコンピュータ１０のＳＥＬ信号によってスイッチＳＷＣで選択された基準電圧値Ｖｒｅｆ１（Ｐ５側）との差が等しくなるようにＶ／Ｉ変換器４２への電圧値を調整する。このように動作することによって一巡のフィードバック制御が形成され、ＬＤ１からＣＤ再生用のレーザ光を一定パワーで出射することができる。
【００２５】
一方、図２に示した制御用マイクロコンピュータ１０から送出されるＳＥＬ信号によってスイッチＳＷＡがＬＤ２側（Ｐ２側）に切り替えると、誤差増幅器４１の出力する電圧値をＶ／Ｉ変換器４２によって電流値に変換し、その電流値を電流増幅器４３で増幅し、加算器４４によって電流増幅器４３からの電流値とオシレータ３５からの電流値とを加算してＬＤ２に駆動電流として供給する。
こうして、ＬＤ２からＤＶＤ再生用のレーザ光が出射され、その出射されたレーザ光は図示を省略した対物レンズで光スポットに絞られて光ディスクに照射される。
【００２６】
その出射されたレーザ光の一部は検出器３３のＰＤ２に入射し、ＰＤ２は入力される光に比例した電流値を出力する。その出力された電流値は制御用マイクロコンピュータ１０のＳＥＬ信号によってＰＤ２側（Ｐ４側）に切り替えられたスイッチＳＷＢを通ってＩ／Ｖ変換器４０に導かれる。
Ｉ／Ｖ変換器４０は、入力される電流値を電圧値に変換して誤差増幅器４１へ供給する。誤差増幅器４１はその電圧値と制御用マイクロコンピュータ１０のＳＥＬ信号によってスイッチＳＷＣで選択された基準電圧値Ｖｒｅｆ２（Ｐ６側）との差が等しくなるようにＶ／Ｉ変換器４２への電圧値を調整する。
このように動作することによって一巡のフィードバック制御が形成され、ＬＤ２からＤＶＤ再生用のレーザ光を一定パワーで出射することができる。
【００２７】
すなわち、上記Ｉ／Ｖ変換器４０，誤差増幅器４１，Ｖ／Ｉ変換器４２，電流増幅器４３等が、上記それぞれ波長の異なる光を発生させる複数個の光源に電流を供給する電流供給手段の機能を果たす。また、上記加算器４４，オシレータ４５が上記電流供給手段によって供給する電流に高周波電流を重畳する高周波電流重畳手段の機能を果たす。
【００２８】
上記オシレータ４５は、ＣＤあるいはＤＶＤ用のレーザ光に適した振幅及び周波数の高周波重畳電流値を出力するものであり、入力電圧値Ｖｃｃによって発振周波数を調整できる電圧制御発振回路（ＶＣＯ：Ｖｏｌｔａｇｅ  Ｃｏｎｔｒｏｌｌｅｄ  Ｏｓｃｉｌｌａｔｏｒ）５０，入力電圧値Ｖｃｃによって増幅率（ＧＡＩＮ）を可変する電圧制御増幅器（ＶＧＡ：Ｖｏｌｔａｇｅ  Ｃｏｎｔｒｏｌｌｅｄ  Ａｍｐｌｉｆｉｅｒ）５１及びＶ／Ｉ変換器（電圧電流変換器）５２から構成されている。
【００２９】
ここでこの発明の請求項１及び３に係る機能として、ＶＣＯ５０の発振周波数は、抵抗部５３によるリファレンス電圧値ｆを抵抗分圧した電圧値によって制御する。制御用マイクロコンピュータ１０からのＳＥＬ信号でスイッチＳＷＤを切り替えて抵抗Ｒ１と組み合わせる抵抗値をＲｆｒｅｑ１あるいはＲｆｒｅｑ２に変えることによって分圧比を変更し、ＶＣＯ５０に入力される電圧を、つまりＶＣＯ５０の発振周波数を変更する。そのＶＣＯ５０の出力は次段のＶＧＡ５１に入力される。
【００３０】
すなわち、上記制御用マイクロコンピュータ１０，ＶＣＯ５０，抵抗部５３が、上記高周波電流重畳手段によって重畳する高周波電流の周波数を前記各光源毎に可変にする重畳高周波電流周波数可変手段の機能を果たす。
【００３１】
一方、この発明の請求項２及び４に係る機能として、ＶＧＡ５１の振幅の増幅率は、抵抗部５４によるリファレンス電圧値ａを抵抗分圧した電圧値によって制御する。制御用マイクロコンピュータ１０からのＳＥＬ信号でスイッチＳＷＥを切り替えて抵抗Ｒ２と組み合わせる抵抗値をＲａｍｐ１あるいはＲａｍｐ２に変えることによって分圧比を変更し、ＶＧＡ５１に入力される電圧を、つまりＶＧＡ５１の増幅分（Ｇａｉｎ）を変更する。こうして、光ディスクの種類に応じて高周波電流の周波数と振幅とを最適値に調整して加算器４４へ出力し、ＬＤ１又はＬＤ２に供給する電流値に重畳する。
【００３２】
すなわち、上記制御用マイクロコンピュータ１０，上記ＶＧＡ５１と上記Ｖ／Ｉ変換器５２とからなるレベル調整部，上記抵抗部５４が、上記高周波電流重畳手段によって重畳する高周波電流の振幅を上記各光源毎に可変にする重畳高周波電流振幅可変手段の機能を果たす。
【００３３】
図３は、この光ディスク装置１における光ディスク挿入時の処理を示すフローチャート図である。
制御用マイクロコンピュータ１０は、ステップ（図中「Ｓ」で示す）１で光ディスクが挿入されたか否かを判断し、挿入されたらステップ２でＳＥＬ信号によって各スイッチＳＷＡ〜ＳＷＥをＣＤ側に切り替える。すなわち、スイッチＳＷＡをＬＤ１側に、スイッチＳＷＢをＰＤ１側に、スイッチＳＷＣをＶｒｅｆ１側に、スイッチＳＷＤをＲｆｒｅｑ１側に、スイッチＳＷＥをＲａｍｐ１側にそれぞれ切り替える。
【００３４】
ステップ３で挿入された光ディスクの種類（ＣＤかＤＶＤか）を判別する処理を行い、ステップ４でその判別結果に基づいてＣＤか否かを判断する。
ステップ４の判断でＣＤなら、この処理を終了し、上記各スイッチＳＷＡ〜ＳＷＥをＣＤ側に切り替えたまま再生を行う。
【００３５】
一方、ステップ４の判断でＣＤでなければ、ステップ５でＳＥＬ信号によって各スイッチＳＷＡ〜ＳＷＥをＤＶＤ側に切り替える。すなわち、スイッチＳＷＡをＬＤ２側に、スイッチＳＷＢをＰＤ２側に、スイッチＳＷＣをＶｒｅｆ２側に、スイッチＳＷＤをＲｆｒｅｑ２側に、スイッチＳＷＥをＲａｍｐ２側にそれぞれ切り替える。
ステップ６で挿入された光ディスクの種類（ＣＤかＤＶＤか）を判別する処理を行い、ステップ７でその判別結果に基づいてＤＶＤか否かを判断する。
ステップ７の判断でＤＶＤなら、この処理を終了し、上記各スイッチＳＷＡ〜ＳＷＥをＤＶＤ側に切り替えたまま記録又は再生を行う。
あるいは、ステップ７の判断でＤＶＤでなければ、ステップ８でディスクエラー報告（表示又は音声出力等）し、この処理を終了する。
【００３６】
上述の実施形態では光ディスクの再生について説明したが、書き込み可能な光ディスクに対する記録についても同様に実施することができる。
このようにして、誤差増幅器で制御される直流電流に各ＬＤに最適な周波数や振幅の高周波を重畳した電流を加算して供給することによって各々のＬＤのレーザ光を発光するので、光ディスクからの戻り光によるノイズを簡易な構成で小さくすることができる。
【００３７】
【発明の効果】
以上説明してきたように、この発明の光源駆動装置と情報記録再生装置によれば、特性の異なる複数の光源をその光源までの伝送路インピーダンスが異なる場合でも一つの高周波重畳手段でＥＭＩに準拠するようにノイズ低減を最適にできる。
【図面の簡単な説明】
【図１】図２に示すレーザ制御部７の内部構成を示すブロック図である。
【図２】この発明の一実施形態である光ディスク装置の構成を示すブロック図である。
【図３】図２に示す光ディスク装置１における光ディスク挿入時の処理を示すフローチャート図である。
【符号の説明】
１：光ディスク装置    ２：スピンドルモータ
３：光ピックアップ    ４：スレッドモータ
５：ＲＦ処理部        ６：アクチュエータドライバ
７：レーザ制御部      ８：サーボプロセッサ
９：ＥＦＭ／８／１６デコード部
１０：制御用マイクロコンピュータ
１１：デコード部      １２，１３：メモリ
１４：インタフェース  ２０：ホストコンピュータ
２１：光ディスク      ３１，３２：レーザダイオード
３３：検出器          ４０：Ｉ／Ｖ変換器
４１：誤差増幅器      ４２：Ｖ／Ｉ変換器
４３：電流増幅器      ４４：加算器
４５：オシレータ      ５０：ＶＣＯ
５１：ＶＧＡ          ５２：Ｖ／Ｉ変換器
５３，５４：抵抗部
【図１】
2004288842.tif 000003
【図２】
2004288842.tif 000004
【図３】
2004288842.tif 000005